(57)【要約】  本願はエアコン室内機及びエアコンを開示する。当該エアコン室内機はベース及びベースと接続されるフレームを含む筺体であって、前記フレームと前記ベースとに囲まれて取付チャンバが形成され、前記取付チャンバは下に向かって外部と連通する取付口を有する筐体と、前記取付チャンバ内に位置し、前記フレームと取り外し可能に接続され、且つ前記ベースとも取り外し可能に接続され、前記取付口において露出している送風機組立品と、を含む。【選択図】図１
2021528618.tif 000002
【特許請求の範囲】
【請求項１】
ベースと、ベースに接続されているフレームとを含む筺体であって、前記フレームと前記ベースとに囲まれて取付チャンバが形成され、前記取付チャンバは下に向かって外部と連通する取付口を有する、筐体と、
前記取付チャンバ内に位置し、前記フレームと取り外し可能に接続され、且つ前記ベースとも取り外し可能に接続され、前記取付口において露出している送風機組立品と、
を含むエアコン室内機。
【請求項２】
前記フレームと前記送風機組立品のうち一方には第一可動留め具が、他方には第一留め穴が設けられ、前記フレームは、前記第一可動留め具と前記第一留め穴との係合により前記送風機組立品と取り外し可能に接続されている請求項１に記載のエアコン室内機。
【請求項３】
前記ベースと前記送風機組立品のうち一方には第二可動留め具が、他方には第二留め穴が設けられ、前記ベースは、前記第二可動留め具と前記第二留め穴との係合により前記送風機組立品と取り外し可能に接続されている請求項１に記載のエアコン室内機。
【請求項４】
前記フレームには前記取付口に近接して第一可動留め具が設置され、前記ベースには前記取付口に近接して第二可動留め具が設置され、前記送風機組立品には前記フレームに近接して前記第一可動留め具にフィットする第一留め穴が設けられ、前記送風機組立品には前記ベースに近接して前記第二可動留め具にフィットする第二留め穴が設けられている請求項１に記載のエアコン室内機。
【請求項５】
前記第一可動留め具と前記第二可動留め具は、何れも本体部と、前記本体部に接続されている回動部およびスナップフィット部とを含み、
前記第一可動留め具は前記回動部で前記フレームと回動可能に接続され、前記第一可動留め具は前記スナップフィット部で前記第一留め穴とスナップフィットし、
前記第二可動留め具は前記回動部で前記ベースと回動可能に接続され、前記第二可動留め具は前記スナップフィット部で前記第二留め穴とスナップフィットする請求項４に記載のエアコン室内機。
【請求項６】
前記回動部には回動軸が設置されており、
前記フレームには、前記取付口に近接して前記回動軸と適合する第一軸穴が設けられ、前記第一可動留め具は前記回動軸と前記第一軸穴との穴軸嵌合により前記フレームと回動可能に接続され、
前記ベースには、前記取付口に近接して前記回動軸と適合する第二軸穴が設けられ、前記第二可動留め具は前記回動軸と前記第二軸穴との穴軸嵌合により前記ベースと回動可能に接続されている請求項５に記載のエアコン室内機。
【請求項７】
前記第一軸穴及び／又は第二軸穴の外周縁には前記回動軸が滑り込むように配置された案内面が設けられている請求項６に記載のエアコン室内機。
【請求項８】
前記回動軸の端面には前記第一軸穴或いは第二軸穴に滑り込むように配置された嵌合面が形成されている請求項６に記載のエアコン室内機。
【請求項９】
前記フレームには更に前記第一軸穴と前記取付口とを連通させる第一待避エリアが設けられ、前記第一可動留め具により前記フレームと前記送風機組立品とを接続した際に、前記本体部の一部は前記第一待避エリアに収容される請求項６に記載のエアコン室内機。
【請求項１０】
前記ベースには更に前記第二軸穴と前記取付口とを連通させる第二待避エリアが設けられ、前記第二可動留め具により前記ベースと前記送風機組立品とを接続した際に、前記本体部の一部は前記第二待避エリアに収容される請求項６に記載のエアコン室内機。
【請求項１１】
前記送風機組立品は渦巻形ケーシングと、前記渦巻形ケーシングに設置されているファンとを含み、前記渦巻形ケーシングには前記フレームに近接して第一ボスが設置されており、前記第一ボスには上下方向に沿って貫通する前記第一留め穴が設けられ、前記渦巻形ケーシングには、前記ベースに近接して第二ボスが設置されており、前記第二ボスには上下方向に沿って貫通する前記第二留め穴が設けられ、
前記スナップフィット部はフック構造であり、前記第一可動留め具は前記フレームに対して回動し、前記フック構造は前記第一留め穴の下端に係止され、前記第二可動留め具は前記ベースに対して回動し、前記フック構造は前記第二留め穴の下端に係止される請求項５に記載のエアコン室内機。
【請求項１２】
前記渦巻形ケーシングには開口が設けられ、前記ファンは前記開口に対応して設置されている請求項１１に記載のエアコン室内機。
【請求項１３】
前記フレームには複数の離間して設置されている前記第一可動留め具が設けられ、前記ベースには複数の離間して設置されている第二可動留め具が設けられ、前記渦巻形ケーシングには複数の離間して設置されている前記第一留め穴と複数の離間して設置されている前記第二留め穴が設けられている請求項４に記載のエアコン室内機。
【請求項１４】
ベースと、ベースに接続されているフレームとを含む筺体であって、前記フレームと前記ベースとに囲まれて取付チャンバが形成され、前記取付チャンバは下に向かって外部と連通する取付口を有し、前記フレームには前記取付口と離れた位置に前記取付チャンバに連通する吸気口が設けられている、筐体と、
前記取付チャンバ内に位置し、前記フレームと取り外し可能に接続され、且つ前記ベースとも取り外し可能に接続され、前記取付口において露出している送風機組立品と、
前記取付チャンバ内に設置され、前記吸気口と前記送風機組立品の間に位置する熱交換器と、
を含むエアコン室内機。
【請求項１５】
エアコン室外機とエアコン室内機を含むエアコンであって、前記エアコン室外機は配管によって前記エアコン室内機と連通され、前記エアコン室内機は、
ベースと、ベースに接続されているフレームとを含む筺体であって、前記フレームと前記ベースとに囲まれて取付チャンバが形成され、前記取付チャンバは下に向かって外部と連通する取付口を有する、筐体と、
前記取付チャンバ内に位置し、前記フレームと取り外し可能に接続され、且つ前記ベースとも取り外し可能に接続され、前記取付口において露出している送風機組立品と、を含む
エアコン。
【請求項１６】
前記フレームには前記取付口に近接して第一可動留め具が設置され、前記ベースには前記取付口に近接して第二可動留め具が設置され、前記送風機組立品には前記フレームに近接して前記第一可動留め具にフィットする第一留め穴が設けられ、前記送風機組立品には前記ベースに近接して前記第二可動留め具にフィットする第二留め穴が設けられている請求項１５に記載のエアコン。
【請求項１７】
前記第一可動留め具と前記第二可動留め具は、何れも本体部と、前記本体部に接続されている回動部とスナップフィット部とを含み、
前記第一可動留め具は前記回動部で前記フレームと回動可能に接続され、前記第一可動留め具は前記スナップフィット部で前記第一留め穴とスナップフィットし、
前記第二可動留め具は前記回動部で前記ベースと回動可能に接続され、前記第二可動留め具は前記スナップフィット部で前記第二留め穴とスナップフィットする請求項１６に記載のエアコン。
【請求項１８】
前記回動部には回動軸が設置されており、
前記フレームには、前記取付口に近接して前記回動軸と適合する第一軸穴が設けられ、前記第一可動留め具は前記回動軸と前記第一軸穴との穴軸嵌合により前記フレームと回動接続され、
前記ベースには、前記取付口に近接して前記回動軸と適合する第二軸穴が設けられ、前記第二可動留め具は前記回動軸と前記第二軸穴との穴軸嵌合により前記ベースと回動接続されている請求項１７に記載のエアコン。
【請求項１９】
前記フレームには更に前記第一軸穴と前記取付口とを連通させる第一待避エリアが設けられ、前記第一可動留め具により前記フレームと前記送風機組立品とを接続した際に、前記本体部の一部は前記第一待避エリアに収容され、
且つ／又は、前記ベースには更に前記第二軸穴と前記取付口とを連通させる第二待避エリアが設けられ、前記第二可動留め具により前記ベースと前記送風機組立品とを接続した際に、前記本体部の一部は前記第二待避エリアに収容される請求項１８に記載のエアコン。
【請求項２０】
前記送風機組立品は渦巻形ケーシングと、前記渦巻形ケーシングに設置されているファンとを含み、前記渦巻形ケーシングには前記フレームに近接して第一ボスが設置されており、前記第一ボスには上下方向に沿って貫通する前記第一留め穴が設けられ、前記渦巻形ケーシングには前記ベースに近接して第二ボスが設置されており、前記第二ボスには上下方向に沿って貫通する前記第二留め穴が設けられ、
前記スナップフィット部はフック構造であり、前記第一可動留め具は前記フレームに対して回動し、前記フック構造は前記第一留め穴の下端に係止され、前記第二可動留め具は前記ベースに対して回動し、前記フック構造は前記第二留め穴の下端に係止される請求項１６に記載のエアコン。
【発明の詳細な説明】
【技術分野】
【０００１】
本願は２０１９年５月２２日に提出された、出願番号２０１９２０７４９００２．９、発明名称「エアコン室内機及びエアコン」である中国特許出願の優先権を主張し、その全文を参考としてここに援用する。
本願は空気調節設備の技術分野に関し、特にエアコン室内機及び当該エアコン室内機を応用したエアコンに関する。
【背景技術】
【０００２】
従来の壁掛け式エアコンは通常、送風機組立品を筐体のベースに固定し、取り外し不可能な構造として設置する。このような構造では、エアコンの使用時間が長くなり、送風機組立品にほこりが沈積しやすい状況では、フレームを取り外さないと送風機組立品に対して払拭掃除をするスペースが小さすぎることになる。それに、送風機組立品のモータに問題が起きた場合も、交換や修理が不便となる。
【０００３】
上記内容は本願の技術案の理解を助けるために用いられ、上記内容が先行技術だと認めるわけではない。
【発明の概要】
【０００４】
本願の主な目的は、エアコン室内機の脱着の利便性と組立の密閉度を向上させるためのエアコン室内機を提供することである。
【０００５】
上記目的を達成するために、本願が提供するエアコン室内機は、
ベースと、ベースに接続されているフレームとを含む筺体であって、前記フレームと前記ベースとに囲まれて取付チャンバが形成され、前記取付チャンバは下に向かって外部と連通する取付口を有する、筐体と、
前記取付チャンバ内に位置し、前記フレームと取り外し可能に接続され、且つ前記ベースとも取り外し可能に接続され、前記取付口において露出している送風機組立品と、を含む。
【０００６】
一実施例において、前記フレームと前記送風機組立品のうち一方には第一可動留め具が、他方には第一留め穴が設けられ、前記フレームは、前記第一可動留め具と前記第一留め穴との係合により前記送風機組立品と取り外し可能に接続されている。
【０００７】
一実施例において、前記ベースと前記送風機組立品のうち一方には第二可動留め具が、他方には第二留め穴が設けられ、前記ベースは、前記第二可動留め具と前記第二留め穴との係合により前記送風機組立品と取り外し可能に接続されている。
【０００８】
一実施例において前記フレームには前記取付口に近接して第一可動留め具が設置され、前記ベースには前記取付口に近接して第二可動留め具が設置され、前記送風機組立品には前記フレームに近接して前記第一可動留め具にフィットする第一留め穴が設けられ、前記送風機組立品には前記ベースに近接して前記第二可動留め具にフィットする第二留め穴が設けられている。
【０００９】
一実施例において、前記第一可動留め具と前記第二可動留め具は、何れも本体部と、前記本体部に接続されている回動部およびスナップフィット部とを含み、
前記第一可動留め具は前記回動部で前記フレームと回動可能に接続され、前記第一可動留め具は前記スナップフィット部で前記第一留め穴とスナップフィットし、
前記第二可動留め具は前記回動部で前記ベースと回動可能に接続され、前記第二可動留め具は前記スナップフィット部で前記第二留め穴とスナップフィットする。
【００１０】
一実施例において、前記回動部には回動軸が設置され、
前記フレームには、前記取付口に近接して前記回動軸と適合する第一軸穴が設けられ、前記第一可動留め具は前記回動軸と前記第一軸穴との穴軸嵌合により前記フレームと回動可能に接続され、
前記ベースには、前記取付口に近接して前記回動軸と適合する第二軸穴が設けられ、前記第二可動留め具は前記回動軸と前記第二軸穴との穴軸嵌合により前記ベースと回動可能に接続されている。
【００１１】
一実施例において、前記第一軸穴及び／又は第二軸穴の外周縁には前記回動軸が滑り込むように配置された案内面が設けられている。
【００１２】
一実施例において、前記回動軸の端面には、前記第一軸穴或いは第二軸穴に滑り込むように配置された嵌合面が形成されている。
【００１３】
一実施例において、前記フレームには更に前記第一軸穴と前記取付口とを連通させる第一待避エリアが設けられ、前記第一可動留め具により前記フレームと前記送風機組立品とを接続した際に、前記本体部の一部は前記第一待避エリアに収容される。
【００１４】
一実施例において、前記ベースには更に前記第二軸穴と前記取付口とを連通させる第二待避エリアが設けられ、前記第二可動留め具により前記ベースと前記送風機組立品とを接続した際に、前記本体部の一部は前記第二待避エリアに収容される。
【００１５】
一実施例において、前記送風機組立品は渦巻形ケーシングと、前記渦巻形ケーシングに設置されているファンとを含み、前記渦巻形ケーシングには前記フレームに近接して第一ボスが設置されており、前記第一ボスには上下方向に沿って貫通する前記第一留め穴が設けられ、前記渦巻形ケーシングには、前記ベースに近接して第二ボスが設置されており、前記第二ボスには上下方向に沿って貫通する前記第二留め穴が設けられ、
前記スナップフィット部はフック構造であり、前記第一可動留め具は前記フレームに対して回動し、前記フック構造は前記第一留め穴の下端に係止され、前記第二可動留め具は前記ベースに対して回動し、前記フック構造は前記第二留め穴の下端に係止される。
【００１６】
一実施例において、前記渦巻形ケーシングには開口が設けられ、前記ファンは前記開口に対応して設置されている。
【００１７】
一実施例において、前記フレームには複数の離間して設置されている前記第一可動留め具が設けられ、前記ベースには複数の離間して設置されている第二可動留め具が設けられ、前記渦巻形ケーシングには複数の離間して設置されている前記第一留め穴と複数の離間して設置されている前記第二留め穴が設けられている。
【００１８】
本願は更に、
ベースと、ベースに接続されているフレームとを含む筺体であって、前記フレームと前記ベースとに囲まれて取付チャンバが形成され、前記取付チャンバは下に向かって外部と連通する取付口を有し、前記フレームには前記取付口と離れた位置に前記取付チャンバに連通する吸気口が設けられている、筐体と、
前記取付チャンバ内に位置し、前記フレームと取り外し可能に接続され、且つ前記ベースとも取り外し可能に接続され、前記取付口において露出している送風機組立品と、
前記取付チャンバ内に設置され、前記吸気口と前記送風機組立品の間に位置する熱交換器と、を含むエアコン室内機を提案する。
【００１９】
本願はまた、エアコン室外機とエアコン室内機を含むエアコンであって、前記エアコン室外機は配管によって前記エアコン室内機と連通され、前記エアコン室内機は、
ベースと、ベースに接続されているフレームとを含む筺体であって、前記フレームと前記ベースとに囲まれて取付チャンバが形成され、前記取付チャンバは下に向かって外部と連通する取付口を有する、筐体と、
前記取付チャンバ内に位置し、前記フレームと取り外し可能に接続され、且つ前記ベースとも取り外し可能に接続され、前記取付口において露出している送風機組立品と、を含むエアコンを提案する。
【００２０】
一実施例において前記フレームには前記取付口に近接して第一可動留め具が設置され、前記ベースには前記取付口に近接して第二可動留め具が設置され、前記送風機組立品には前記フレームに近接して前記第一可動留め具にフィットする第一留め穴が設けられ、前記送風機組立品には前記ベースに近接して前記第二可動留め具にフィットする第二留め穴が設けられている。
【００２１】
一実施例において、前記第一可動留め具と前記第二可動留め具は、何れも本体部と、前記本体部に接続されている回動部およびスナップフィット部とを含み、
前記第一可動留め具は前記回動部で前記フレームと回動可能に接続され、前記第一可動留め具は前記スナップフィット部で前記第一留め穴とスナップフィットし、
前記第二可動留め具は前記回動部で前記ベースと回動可能に接続され、前記第二可動留め具は前記スナップフィット部で前記第二留め穴とスナップフィットする。
【００２２】
一実施例において、前記回動部には回動軸が設置され、
前記フレームには、前記取付口に近接して前記回動軸と適合する第一軸穴が設けられ、前記第一可動留め具は前記回動軸と前記第一軸穴との穴軸嵌合により前記フレームと回動可能に接続され、
前記ベースには、前記取付口に近接して前記回動軸と適合する第二軸穴が設けられ、前記第二可動留め具は前記回動軸と前記第二軸穴との穴軸嵌合により前記ベースと回動可能に接続されている。
【００２３】
一実施例において、前記フレームには更に前記第一軸穴と前記取付口とを連通させる第一待避エリアが設けられ、前記第一可動留め具で前記フレームと前記送風機組立品を接続した際に、前記本体部の一部は前記第一待避エリアに収容され、
且つ／又は、前記ベースには更に前記第二軸穴と前記取付口とを連通させる第二待避エリアが設けられ、前記第二可動留め具により前記ベースと前記送風機組立品とを接続した際に、前記本体部の一部は前記第二待避エリアに収容される。
【００２４】
一実施例において、前記送風機組立品は渦巻形ケーシングと、前記渦巻形ケーシングに設置されているファンとを含み、前記渦巻形ケーシングには前記フレームに近接して第一ボスが設置されており、前記第一ボスには上下方向に沿って貫通する前記第一留め穴が設けられ、前記渦巻形ケーシングには、前記ベースに近接して第二ボスが設置されており、前記第二ボスには上下方向に沿って貫通する前記第二留め穴が設けられ、
前記スナップフィット部はフック構造であり、前記第一可動留め具は前記フレームに対して回動し、前記フック構造は前記第一留め穴の下端に係止され、前記第二可動留め具は前記ベースに対して回動し、前記フック構造は前記第二留め穴の下端に係止される。
【００２５】
本願技術案のエアコン室内機はフレームとベースにより囲まれた、下に向かって外部と連通する取付口を有する取付チャンバを形成することで、送風機組立品をそれぞれフレームとベースに取り外し可能に接続して、取付口に露出させることで、比較的大きな空間を確保し、送風機組立品の脱着及び洗浄を便利にして、エアコン室内機中での送風機組立品の洗浄の利便性を高める。同時に、送風機組立品を取り外し可能にフレームとベースに接続することで、送風機組立品の筐体上における取付をより安定させ、送風機組立品が不意に開いて危険をもたらすのを防ぎ、エアコン室内機の構造安定性を良くし、作業の性能を高める。
【図面の簡単な説明】
【００２６】
本願実施例及び従来技術の技術案をより明確に説明するため、以下では、実施例或いは従来技術の説明に必要とされる添付図面を簡単に紹介する。下記説明における添付図面は本願の一部の実施例に過ぎないことは明らかであって、当業者にとって、創造的な労働を行わないことを前提に、これらの添付図面が示す構造により他の添付図面を得ることができる。
【００２７】
【図１】図１は、本願のエアコン室内機の一実施例の構造模式図である。
【図２】図２は、図１のＡでの拡大模式図である。
【図３】図３は、図１のＢでの拡大模式図である。
【図４】図４は、本願のエアコン室内機の一実施例の断面模式図である。
【図５】図５は、図４のＣでの拡大模式図である。
【図６】図６は、図４のＤでの拡大模式図である。
【図７】図７は、本願のエアコン室内機の一実施例の部分構造模式図である。
【図８】図８は、本願の一実施例におけるエアコン室内機の第一可動留め具が取り外された部分構造模式図である。
【図９】図９は、本願の第一可動留め具と第二可動留め具の一つの実施例の構造模式図である。
【００２８】
添付図面を参照して、実施例と組み合わせて本願目的の実現、機能特徴及び長所をさらに説明する。
【発明を実施するための形態】
【００２９】
以下では、本願実施例における添付図面と組み合わせ、本願実施例における技術案を明確且つ完全に説明する。説明される実施例は本願の全ての実施例ではなく、本願の一部の実施例に過ぎないことは明らかである。本願における実施例に基づいて、当業者が創造的な労働を行わないことを前提に得られた全ての他の実施例は、本願の保護する範囲に属す。
【００３０】
本願実施例での全ての方向性指示（例えば上、下、左、右、前、後．．．）は、当該方向性指示はある特定の姿勢（添付図面に示す）における各部品間の相対的位置関係、運動状況等を説明するためだけに配置され、もし当該特定の姿勢が変わる場合、当該方向性指示もそれ相当に変わることは説明しておく必要があろう。
【００３１】
また、全文において現れた「及び／又は」或いは「且つ／又は」は三つの並行する案を含むことを意味する。「Ａ及び／又はＢ」を例に取ると、Ａ案、或いはＢ案、或いはＡとＢとが同時に満たされる案を含むことになる。
【００３２】
また、本願実施例において「第一」、「第二」等の説明は説明のために配置されるだけであって、その相対的重要性を提示又は暗示する、或いは提示される技術的特徴の数を暗示的に指定するように理解すべきではない。これにより、「第一」、「第二」に限定されている特徴は明示的或いは暗示的に少なくとも一つの当該特徴を含んでもいい。また、各実施例の技術案はお互いに組み合わせることができる。ただし、当業者が実現できることはその基礎である。技術案の組み合わせに矛盾が生じるか、実現できない場合には、このような技術案の組み合わせが存在しない、且つ本願が請求する保護範囲にないと理解すべきである。
【００３３】
本願ではエアコン室内機１００を提案する。
【００３４】
図１と図４を組み合わせて示すように、本願の実施例において、当該エアコン室内機１００は筐体１と送風機組立品２を含み、その中で、筐体１はベース１２及びベース１２と接続されるフレーム１１を含み、フレーム１１とベース１２とに囲まれた取付チャンバ１ａが形成され、取付チャンバ１ａは下に向かって外部と連通する取付口１ｂを有し、送風機組立品２は取付チャンバ１ａ内に位置し、送風機組立品２はフレーム１１と取り外し可能に接続され、且つ送風機組立品２は更にベース１２と取り外し可能に接続され、送風機組立品２は取付口１ｂにおいて露出している。
【００３５】
本実施例において、筐体１は取付チャンバ１ａを有し、即ち、フレーム１１はベース１２と接続されて取付チャンバ１ａを形成する。取付チャンバ１ａは下に向かって外部と連通する取付口１ｂを有し、即ち、フレーム１１とベース１２とで囲んで、取付チャンバ１ａに連通する取付口１ｂを形成する。送風機組立品２は渦巻形ケーシング２１と渦巻形ケーシング２１に設置されているファン２２を有し、送風機組立品２は渦巻形ケーシング２１を介して取り外し可能に取付口１ｂに取り付けられている。ファン２２は渦巻形ケーシング２１に取り付けられて、且つ取付チャンバ１ａ内に位置する。ベース１２の、フレーム１１と反対側の表面には、取り外し可能に壁掛け板（図示しない）が接続されて、エアコン室内機１００は壁掛け板を介して壁に取り付けられる。
【００３６】
一実施例において、渦巻形ケーシング２１には開口２１３が設けられ、フレーム１１には取付口１ｂから離れた位置に、取付チャンバ１ａと連通する吸気口１１ａが設けられている。即ち、フレーム１１の頂壁には吸気口１１ａが設けられており、エアコン室内機１００は頂部から吸気するということになる。エアコン室内機１００は更に熱交換器３、電気制御組立品等を含み、熱交換器３、電気制御組立品は当該取付チャンバ１ａ内に収容されている。熱交換器３は吸気口１１ａと送風機組立品の間に位置して、電気制御組立品はフレーム１１或いはベース１２に取付られ、且つエアコン室内機１００の配線接続がしやすくなるよう、熱交換器３の一端に位置する。本実施例において、室外の空気は吸気口１１ａを経由して取付チャンバ１ａ内に進入し、熱交換器３と熱交換を行い、そして送風機組立品により取付チャンバ１ａ内の気流を渦巻形ケーシング２１の開口２１３を経由して取付チャンバ１ａから導き出す。
【００３７】
なお、熱交換器３の一端には、エアコン室内機１００とエアコン室外機の間で循環する冷媒流路を形成するように設置されている冷媒管が接続されている。エアコン室内機１００の取付過程において、又は日常のメンテナンスにおいて、管の接続或いは洗浄等の作業をする必要がある。本願ではベース１２の底部に底板が折り曲げて設置されている。底板には取付チャンバと連通する脱着口が設けられている。脱着口はエアコン室内機１００の左右方向において細長く伸びると共に、脱着口は少なくとも冷媒管と排水管の継手部分を露出させることができるべきである。脱着口のエアコン室内機１００の前後方向における幅は、人の手或いは道具が挿入されて冷媒管と排水管に対して直接脱着作業を行うのに適すべきである。下パネルを外すと、冷媒管継手と排水管継手を露出させることができ、配管を便利にできる。勿論、下パネル上に逃げ穴を設け、逃げ穴の周縁に、逃げ穴を開閉でき、更に脱着口を開閉できるようにカバー（図示しない）を接続することで、下パネルを開けることなく脱着を行えるようにでき、簡便である。
【００３８】
理解できるのは、エアコン室内機１００の導風効果を高めるために、エアコン室内機１００は更に導風部品を含み、導風部品は渦巻形ケーシング２１の開口２１３に対応するように設置されることで、気流が開口２１３から流れ出た時、導風部品の導風作用により室内に送られ、空気調節の効果を実現できる。
【００３９】
本実施例では、送風機組立品２は更にモータを含み、ファン２２は渦巻形ケーシング２１に取り付けられ、且つ渦巻形ケーシング２１の開口２１３に対応するように設置されて、モータは渦巻形ケーシング２１の一端に取り付けられている。理解できるのは、渦巻形ケーシング２１には風道が形成されており、ファン２２は渦巻形ケーシング２１に取り付けられて、風道内に位置する。
【００４０】
エアコン室内機１００の美観を高めるために、エアコン室内機１００は更に渦巻形ケーシング２１の開口２１３に対応するように設置されている下パネルを含む。下パネルはフレーム１１或いはベース１２に対して回動して開き、或いは、下パネルには、渦巻形ケーシング２１の開口２１３に対応するように設置されている送風口が設けられている。下パネルを開けた時、開口２１３の内側に位置する送風機組立品を外に露出させることができる。
【００４１】
熱交換器３は少なくとも前方熱交換部と後方熱交換部を含み、前方熱交換部と後方熱交換部に囲まれて、下向きの末広開口が形成される。後方熱交換部はベース１２に近接している。風道の入口は熱交換器３により形成された末広開口と接し、風道の出口は開口２１３と接し、ファン２２の駆動の下で、外の風は吸気口１１ａから進入して風道を通り抜けてそして開口２１３を経て吹き出される。
【００４２】
一実施例において、渦巻形ケーシング２１には更にドレンパンが設置されており、ドレンパンは前ドレンパンと後ドレンパンに分かれる。前ドレンパンは前方熱交換部の熱交換過程において生成された凝縮水が伝うように設置され、後ドレンパンは後方熱交換部の熱交換過程において生成された凝縮水が伝うように設置されている。しかも、ドレンパンの左右の両端のうち少なくとも一端にはドレンホースが設置されており、ドレンパンのドレンホースには、凝縮水をエアコン室内機１００に排出するように設置されている排水管が接続されている。ドレンホースも、排水管を脱着或いは修理する時により便利にするように、取付口１ｂに露出している。
【００４３】
本願のエアコン室内機１００はベースをベース１２と渦巻形ケーシング２１に分解し、そしてフレーム１１とベース１２を利用して囲んで取付口１ｂを形成し、ファン２２を渦巻形ケーシング２１に設置する。渦巻形ケーシング２１をそれぞれフレーム１１とベース１２に取り外し可能に接続して、取付口１ｂに露出させることで、比較的大きな空間を確保し、送風機組立品２の脱着及び洗浄を便利にするように配置し、エアコン室内機１００内での送風機組立品２の洗浄の利便性を高める。同時に、渦巻形ケーシング２１を取り外し可能にフレーム１１とベース１２に接続することで、送風機組立品２の筐体１上における取付をより安定させ、渦巻形ケーシング２１が不意に開いて危険をもたらすのを防ぎ、エアコン室内機１００の構造安定性を良くし、作業性を高める。
【００４４】
一実施例において、図１、図２、図４、図５及び図８に示すように、フレーム１１と送風機組立品２のうち一方には第一可動留め具１１４が、他方には第一留め穴２１１が設置されている。フレーム１１は、第一可動留め具１１４と第一留め穴２１１の係合により送風機組立品２と取り外し可能に接続されている。
【００４５】
理解できるように、第一可動留め具１１４と第一留め穴２１１の設置は、フレーム１１と送風機組立品２の取り外し可能な接続の実現を便利にするのに有利である。一実施例において、第一可動留め具１１４はフレーム１１に設置でき、第一留め穴２１１は送風機組立品２の渦巻形ケーシング２１に設置できる。勿論、第一可動留め具１１４を送風機組立品２の渦巻形ケーシング２１に設置してもよいし、第一留め穴２１１をフレーム１１に設置してもよい。好ましくは、第一可動留め具１１４と第一留め穴２１１は、フレーム１１と送風機組立品２の渦巻形ケーシング２１の取り外し可能な接続を実現できる構造なら、スナップ接続、プラグ嵌合、ネジ嵌合或いはピン嵌合などでもよく、ここでは限定しない。
【００４６】
一実施例において、図１、図３、図４及び図６に示すように、ベース１２と送風機組立品２のうち一方には第二可動留め具１２４が、他方には第二留め穴２１２が設置されている。ベース１２は第二可動留め具１２４と第二留め穴２１２の係合により送風機組立品２と取り外し可能に接続されている。
【００４７】
理解できるように、第二可動留め具１２４と第二留め穴２１２の設置は、ベース１２と送風機組立品２の取り外し可能な接続の実現を便利にするのに有利である。一実施例において、第二可動留め具１２４はベース１２に設置でき、第二留め穴２１２は送風機組立品２の渦巻形ケーシング２１に設置できる。勿論、第二可動留め具１２４を送風機組立品２の渦巻形ケーシング２１に設置してもよいし、第二留め穴２１２をベース１２に設置してもよい。好ましくは、第二可動留め具１２４と第二留め穴２１２は、フレーム１１と送風機組立品２の渦巻形ケーシング２１の取り外し可能な接続を実現できる構造なら、スナップ接続、プラグ嵌合、ネジ嵌合或いはピン嵌合などでもよく、ここでは限定しない。
【００４８】
理解できるように、第一可動留め具１１４と第二可動留め具１２４の構造は同じでもよく、同じでなくてもよい。本実施例において、好ましくは、第一可動留め具１１４と第二可動留め具１２４の構造は同じである。これにより、第一留め穴２１１と第二留め穴２１２の構造も類似するか同じである。
【００４９】
図１、図２、図３、図４、図５、図６、図７及び図８に示すように、本願の好ましい態様として、フレーム１１には取付口１ｂに近接して第一可動留め具１１４が設置され、ベース１２には取付口１ｂに近接して第二可動留め具１２４が設置され、送風機組立品２にはフレーム１１に近接して第一可動留め具１１４にフィットする第一留め穴２１１が設置され、送風機組立品２にはベース１２に近接して第二可動留め具１２４にフィットする第二留め穴２１２が設置されている。
【００５０】
送風機組立品２の取付安定性を高めるために、図１に示すように、一実施例において、フレーム１１には複数の離間して設置されている第一可動留め具１１４が設けられ、ベース１２には複数の離間して設置されている第二可動留め具１２４が設けられ、送風機組立品２の渦巻形ケーシング２１には複数の離間して設置されている第一留め穴２１１と複数の離間して設置されている第二留め穴２１２が設けられている。
【００５１】
理解できるように、フレーム１１には取付口１ｂに近接して複数の第一可動留め具１１４が設置され、複数の第一可動留め具１１４は均等な間隔で配置され、送風機組立品２の渦巻形ケーシング２１にはフレーム１１に近接して複数の第一留め穴２１１が設置され、複数の第一留め穴２１１は均等な間隔で配置され、一つの第一可動留め具１１４が一つの第一留め穴２１１と係合する。好ましくは、フレーム１１には取付口１ｂに近接して二つの第一可動留め具１１４が設置され、それに応じて、送風機組立品２の渦巻形ケーシング２１にはフレーム１１に近接して二つの第一留め穴２１２が設置されている。
【００５２】
ベース１２には取付口１ｂに近接して複数の第二可動留め具１２４が設置され、複数の第二可動留め具１２４は均等な間隔で配置され、送風機組立品２の渦巻形ケーシング２１にはベース１２に近接して複数の第二留め穴２１２が設置され、複数の第二留め穴２１２は均等な間隔で配置され、一つの第二可動留め具１２４が一つの第二留め穴２１２と係合する。好ましくは、ベース１２には取付口１ｂに近接して二つの第二可動留め具１２４が設置され、それに応じて、送風機組立品２の渦巻形ケーシング２１にはベース１２に近接して二つの第二留め穴２１２が設置されている。
【００５３】
一実施例において、図２、図５、図６及び図９に示すように、第一可動留め具１１４と第二可動留め具１２４は何れも本体部１１４１と、本体部１１４１に接続されている回動部１１４２およびスナップフィット部１１４３とを含む。即ち、第一可動留め具１１４と第二可動留め具１２４とは構造が同じである。
【００５４】
本実施例において、第一可動留め具１１４は回動部１１４２でフレーム１１と回動可能に接続され、第一可動留め具１１４はスナップフィット部１１４３で第一留め穴２１１とスナップフィットしている。理解できるように、第一可動留め具１１４とフレーム１１とは可動接続方式を取り、こうすると、一方では第一可動留め具１１４と第一留め穴２１１のスナップフィットに有利であって、もう一方では、第一可動留め具１１４とフレーム１１の接続後、送風機組立品２の渦巻形ケーシング２１の脱着への影響を避けるのに有利である。好ましくは、第一可動留め具１１４とフレーム１１とは取り外し可能な接続方式を取り、こうすると第一可動留め具１１４の脱着と交換に有利である。
【００５５】
本実施例において、第二可動留め具１２４は回動部１１４２でベース１２と回動可能に接続され、第二可動留め具１２４はスナップフィット部１１４３で第二留め穴２１２とスナップフィットしている。理解できるように、第二可動留め具１２４とベース１２とは可動接続方式を取り、こうすると、一方では第二可動留め具１２４と第二留め穴２１２のスナップ嵌合に有利であって、もう一方では、第二可動留め具１２４とベース１２の接続後、送風機組立品２の渦巻形ケーシング２１の脱着への影響を避けるのに有利である。好ましくは、第二可動留め具１２４とベース１２とは取り外し可能な接続方式を採り、こうすると第二可動留め具１２４の脱着と交換に有利である。
【００５６】
一実施例において、図２、図３、図４、図５、図６、図８及び図９に示すように、回動部１１４２には回動軸１１５が設置され、フレーム１１には、取付口１ｂに近接して回動軸１１５と適合する第一軸穴１１１が設けられ、第一可動留め具１１４は回動軸１１５と第一軸穴１１１との穴軸嵌合によってフレーム１１と回動可能に接続されている。ベース１２には取付口１ｂに近接して回動軸１１５と適合する第二軸穴１２１が設けられ、第二可動留め具１２４は回動軸１１５と第二軸穴１２１との穴軸嵌合によってベース１２と回動可能に接続されている。
【００５７】
理解できるように、第一可動留め具１１４の回動部１１４２に回動軸１１５が設置され、第一可動留め具１１４の回動部１１４２が回動軸１１５と第一軸穴１１１との穴軸嵌合によりフレーム１１と回動可能に接続することで、第一可動留め具１１４のフレーム１１に対する前から後への方向の回動をよりスムーズにする。当該回動軸１１５は少なくとも一つ設置されており、二つ設置されてもよい。二つの回動軸１１５を第一可動留め具１１４の回動部１１４２の両端に設置することで、回動接続の安定性を高めている。
【００５８】
一実施例において、回動軸１１５は対になって設置されている。一対の回動軸１１５は二つの互いに反対向きの回動軸１１５を含み、それに対応して、一対の第一軸穴１１１には開口が互いに向かい合うように設置されている二つの軸穴が設けられ、且つ下パネルの回動及び回動軸１１５の取付を便利にするように、二つの軸穴の間には逃げ空間は設けられている。この構造の設置により、二つの回動軸１１５には第一軸穴１１１との嵌合において互いに突っ張る作用が生じ、回動接続をより安定させ、不意な脱落を起こす危険はなく、更には下パネルの取付の安定性を高めている。
【００５９】
他の実施例において、第一可動留め具１１４の回動部１１４２とフレーム１１とはヒンジなどの構造を採用して回動接続を実現してもよく、ここでは限定しない。勿論、第一可動留め具１１４とフレーム１１とは、挿入板挿入穴構造、回転スナップ構造または他の方式により回動接続を行っても良い。
【００６０】
第二可動留め具１２４の回動部１１４２に回動軸１１５が設置され、第二可動留め具１２４の回動部１１４２が回動軸１１５と第二軸穴１２１との穴軸嵌合によりベース１２と回動可能に接続することで、第二可動留め具１２４のベース１２に対する前から後への方向の回動をよりスムーズにする。当該回動軸１１５は少なくとも一つ設置されており、二つ設置されてもよい。二つの回動軸１１５を第二可動留め具１２４の回動部１１４２の両端に設置することで、回動接続の安定性を高めている。
【００６１】
一実施例において、回動軸１１５は対になって設置されている。一対の回動軸１１５は二つの互いに反対向きの回動軸１１５を含み、それに対応して、一対の第二軸穴１２１には開口が互いに向かい合うように設置されている二つの軸穴が設けられ、且つ下パネルの回動及び回動軸１１５の取付を便利にするように、二つの軸穴の間には逃げ空間は設けられている。この構造の設置により、二つの回動軸１１５には第二軸穴１２１との嵌合において、互いに突っ張る作用が生じ、回動接続をより安定させ、不意な脱落を起こす危険はなく、更には下パネルの取付の安定性を高めている。
【００６２】
他の実施例において、第二可動留め具１２４の回動部１１４２とベース１２とはヒンジなどの構造を採用して回動接続を実現してもよく、ここでは限定しない。勿論、第二可動留め具１２４とベース１２とは、挿入板挿入穴構造、回転スナップ構造または他の方式により回動接続を行っても良い。勿論、第二可動留め具１２４の回動部１１４２とベース１２とはヒンジなどの構造を採用して回動接続を実現してもよく、ここでは限定しない。
【００６３】
理解できるように、第一可動留め具１１４／第二可動留め具１２４は回動により、第一留め穴２１１／第二留め穴２１２と係合或いは離脱でき、これにより送風機組立品２の渦巻形ケーシング２１の脱着利便性を高められる。
【００６４】
一実施例において、図２と図８に示すように、第一軸穴１１１及び／又は第二軸穴１２１の外周縁には、回動軸１１５が滑り込むように配置された案内面１１２が設けられている。
【００６５】
理解できるように、第一軸穴１１１の外周縁には回動軸１１５が滑り込むように配置された案内面１１２が設けられている。即ち、第一軸穴１１１の外周縁には傾いた案内面１１２が設置されている。つまり、当該案内面１１２は、第一軸穴１１１の一方の軸穴から他方の軸穴へと向かう方向においてフレーム１１の内部に向かって徐々に傾いている。第一可動留め具１１４の回動軸１１５は傾いた案内面１１２に沿って第一軸穴１１１内に滑り込む。これにより第一可動留め具１１４とフレーム１１の取付嵌合に有利になる。
【００６６】
勿論、第二軸穴１２１の外周縁には回動軸１１５が滑り込むように配置された案内面１１２が設けられている。即ち、第二軸穴１２１の外周縁には傾いた案内面１１２が設置されている。つまり、当該案内面１１２は、第一軸穴１１１の一方の軸穴から他方の軸穴へと向かう方向においてフレーム１１の内部に向かって徐々に傾いている。第二可動留め具１２４の回動軸１１５は傾いた案内面１１２に沿って第二軸穴１２１内に滑り込む。これにより第二可動留め具１２４とベース１２の取付嵌合に有利になる。
【００６７】
一実施例において、図９に示すように、回動軸１１５の端面には、第一軸穴１１１或いは第二軸穴１２１に滑り込むように配置された嵌合面１１６が形成されている。
【００６８】
理解できるように、第一可動留め具１１４の回動軸１１５の端面には、第一軸穴１１１に滑り込むように配置された嵌合面１１６が形成されている。つまり、第一可動留め具１１４の回動軸１１５の端面には傾いた嵌合面１１６が形成され、当該嵌合面１１６は第一軸穴１１１に面して設けられ、しかも案内面１１２とは平行に設けられている。第一可動留め具１１４の回動軸１１５が第一軸穴１１１内に挿入された時、回動軸１１５の嵌合面１１６は第一軸穴１１１の穴壁に沿って第一軸穴１１１内に滑り込む。これにより第一可動留め具１１４とフレーム１１との取付嵌合に有利になる。つまり、第一可動留め具１１４を取り付ける際に、二つの回動軸１１５の嵌合面１１６を案内面１１２に密着させて押圧することで、回動軸１１５を第一軸穴１１１内に滑り込ませることができ、取付の効率と利便性を高めた。
【００６９】
勿論、第二可動留め具１２４の回動軸１１５の端面には、第二軸穴１２１に滑り込むように配置された嵌合面１１６が形成されている。つまり、第二可動留め具１２４の回動軸１１５の端面には傾いた嵌合面１１６が形成され、当該嵌合面１１６は第一軸穴１１１に面して設けられ、しかも案内面１１２とは平行に設けられている。第二可動留め具１２４の回動軸１１５が第二軸穴１２１内に挿入された時、回動軸１１５の嵌合面１１６は第二軸穴１２１の穴壁に沿って第二軸穴１２１内に滑り込む。これにより第二可動留め具１２４とベース１２との取付嵌合に有利になる。つまり、第二可動留め具１２４を取り付ける際に、二つの回動軸１１５の嵌合面１１６を案内面１１２に密着させて押圧することで、回動軸１１５を第二軸穴１２１内に滑り込ませることができ、取付の効率と利便性を高めた。
【００７０】
本実施例の好ましい案としては、第一軸穴１１１の外周縁には第一可動留め具１１４の回動軸１１５が滑り込むように配置された案内面１１２が設けられて、第一可動留め具１１４の回動軸１１５の端面には第一軸穴１１１に滑り込むように配置された嵌合面１１６が形成されている。第二軸穴１２１の外周縁には第二可動留め具１２４の回動軸１１５が滑り込むように配置された案内面１１２が設けられて、第二可動留め具１２４の回動軸１１５の端面には第二軸穴１２１に滑り込むように配置された嵌合面１１６が形成されている。
【００７１】
一実施例において、図４、図５、図７及び図８に示すように、フレーム１１には更に第一軸穴１１１と取付口１ｂとを連通させる第一待避エリア１１３が設けられ、第一可動留め具１１４によりフレーム１１と送風機組立品２を接続した際に、本体部１１４１の一部は第一待避エリア１１３に収容される。
【００７２】
理解できるように、フレーム１１に第一待避エリア１１３を設置することは、フレーム１１が第一可動留め具１１４と第一留め穴２１１とが係合する時の逃げ空間を広くして、第一可動留め具１１４と第一留め穴２１１との係合が不安定になるのを避けることに有利である。
【００７３】
一実施例において、図４及び図６に示すように、ベース１２には更に第二軸穴１２１と取付口１ｂとを連通させる第二待避エリア１２３が設けられ、第二可動留め具１２４によりベース１２と送風機組立品２を接続した際に、本体部１１４１の一部は第二待避エリア１２３に収容される。
【００７４】
理解できるように、ベース１２に第二待避エリア１２３を設置することは、ベース１２が第二可動留め具１２４と第二留め穴２１２とが係合する時の逃げ空間を広くして、第二可動留め具１２４と第二留め穴２１２との係合が不安定になるのを避けることに有利である。
【００７５】
一実施例において、図３、図４、図５、図６、図７、図８及び図９に示すように、渦巻形ケーシング２１にはフレーム１１に近接して第一ボス２１４が設置されており、第一ボス２１４には上下方向に沿って貫通する第一留め穴２１１が設けられている。渦巻形ケーシングには、ベース１２に近接して第二ボス２１５が設置されており、第二ボス２１５には上下方向に沿って貫通する第二留め穴２１２が設けられている。スナップフィット部１１４３はフック構造１１７であり、第一可動留め具１１４はフレーム１１に対して回動し、フック構造１１７は第一留め穴２１１の下端に係止され、第二可動留め具１２４はベース１２に対して回動し、フック構造１１７は第二留め穴２１２の下端に係止される。
【００７６】
理解できるのは、第一可動留め具１１４と第二可動留め具１２４の構造は同じであり、第一可動留め具１１４のスナップフィット部１１４３は第一留め穴２１１とスナップフィットするフック構造１１７であり、第二可動留め具１２４のスナップフィット部１１４３は第二留め穴２１２とスナップフィットするフック構造１１７である。これにより、更に第一可動留め具１１４及び第二可動留め具１２４と送風機組立品２の渦巻形ケーシング２１との接続安定性を高め、渦巻形ケーシングに取付が安定しない問題が起こるのを避ける。
【００７７】
本願は更に、エアコン室外機と上記エアコン室内機１００を含み、エアコン室外機は配管によってエアコン室内機１００と接続されているエアコンを提案する。当該エアコン室内機１００の構造については、上記実施例を参照されたい。本エアコンは上記全ての実施例の全ての技術案を採用したので、少なくとも上記実施例の技術案がもたらす全ての効果を有し、ここでは逐一説明しない。
【００７８】
以上に述べたことは本願の好ましい実施例に過ぎず、それによって本願の特許の範囲を制限するわけではない。本願の発明構想の下で、本願の明細書及び添付図面の内容を利用してなされた等価構造変換、或いは他の関連する技術分野への直接／間接的な応用は、何れも本願の特許の保護範囲に含まれる。
【符号の説明】
【００７９】
１００  エアコン室内機
１  筐体
１ａ  取付チャンバ
１ｂ  取付口
１１  フレーム
１１ａ  吸気口
１１１  第一軸穴
１１２  案内面
１１３  第一待避エリア
１１４  第一可動留め具
１１４１  本体部
１１４２  転動部
１１４３  スナップフィット部
１１５  回動軸
１１６  嵌合面
１１７  フック構造
１２  ベース
１２１  第二軸穴
１２３  第二待避エリア
１２４  第二可動留め具
２  送風機組立品
２１  渦巻形ケーシング
２１１  第一留め穴
２１２  第二留め穴
２１３  開口
２１４  第一凸台
２１５  第二凸台
２２  ファン
３  熱交換器
【図１】
2021528618.tif 000003
【図２】
2021528618.tif 000004
【図３】
2021528618.tif 000005
【図４】
2021528618.tif 000006
【図５】
2021528618.tif 000007
【図６】
2021528618.tif 000008
【図７】
2021528618.tif 000009
【図８】
2021528618.tif 000010
【図９】
2021528618.tif 000011
【国際調査報告】
2021528618.tif 000012
2021528618.tif 000013
2021528618.tif 000014
2021528618.tif 000015